(57)【要約】【課題】映像の調整をＯＳＤメニューを用いて行うに際して、調整対象となる映像箇所とＯＳＤメニューとが重なってしまいＯＳＤの表示が邪魔となって映像の調整を十分に行えないという事態を低減し、もって良好な映像表示が可能な映像表示装置を実現することを目的とする。【解決手段】表示する映像の調整を行うためのＯＳＤメニューを表示する映像表示装置であって、ＯＳＤデータを生成するＯＳＤ生成手段１と、使用者がＯＳＤメニューの表示領域を設定するためのＯＳＤ表示領域設定手段２と、ＯＳＤメニューを表示する際にその表示領域内でＯＳＤが収まるように、ＯＳＤメニューの表示サイズを補正するＯＳＤ表示サイズ補正手段３と、ＯＳＤメニューの表示位置を補正するＯＳＤ表示位置補正手段４と、ＯＳＤメニューを表示するための出力を行うＯＳＤ出力手段５と、を備えるものである。【選択図】図１
2009086408.tif 000002
【特許請求の範囲】
【請求項１】
表示する映像の調整を行うためのＯＳＤメニューを表示する映像表示装置であって、ＯＳＤデータを生成するＯＳＤ生成手段と、使用者がＯＳＤメニューの表示領域を設定するためのＯＳＤ表示領域設定手段と、ＯＳＤメニューを表示する際にその表示領域内でＯＳＤが収まるように、ＯＳＤメニューの表示サイズを補正するＯＳＤ表示サイズ補正手段と、ＯＳＤメニューの表示位置を補正するＯＳＤ表示位置補正手段と、ＯＳＤメニューを表示するための出力を行うＯＳＤ出力手段と、を備える映像表示装置。
【発明の詳細な説明】
【技術分野】
【０００１】
本発明は映像表示装置に関し、特にＯＳＤ（オンスクリーンディスプレイ）に関するものである。
【背景技術】
【０００２】
従来、ＴＶ、モニター、コンピューターなどの映像表示装置においては、映像表示装置のさまざまな機能制御を行う際には、画面上の特定位置に該機能の制御を行うためのＯＳＤメニューを表示し、それに基づきユーザーが調整できるようになっている（例えば、特許文献１参照）。
【０００３】
ここで、ＯＳＤ表示の一例を図６に示す。図６には、画面５１にＯＳＤメニュー５２を表示している例を示しており、ＯＳＤメニュー５２としては、「色の濃さ」・「色あい」・「黒レベル」の調整項目を備えたメニューを示している。
【特許文献１】特開平１１−１７７９０２号公報
【発明の開示】
【発明が解決しようとする課題】
【０００４】
しかしながら、従来、ＯＳＤメニューの表示位置、表示サイズを映像表示装置の表示画面内で自由に変更することはできなかった。
【０００５】
そのため、調整対象である映像箇所とＯＳＤメニューの表示位置とが重なってしまい、ＯＳＤの表示が邪魔となって調整対象箇所を確認しながらの調整を行うということが困難となり、結果、良好な表示画像を得ることができないという場合があった。
【０００６】
本発明はこのような現状に鑑みなされたもので、映像の調整をＯＳＤメニューを用いて行うに際して、調整対象となる映像箇所とＯＳＤメニューとが重なってしまいＯＳＤの表示が邪魔となって映像の調整を十分に行えないという事態を低減し、調整対象箇所を十分に確認しながら調整を行うことを可能とすることで、もって良好な映像表示が可能な映像表示装置を実現することを目的とする。
【課題を解決するための手段】
【０００７】
上記課題を解決するために本発明の映像表示装置は、表示する映像の調整を行うためのＯＳＤメニューを表示する映像表示装置であって、ＯＳＤデータを生成するＯＳＤ生成手段と、使用者がＯＳＤメニューの表示領域を設定するためのＯＳＤ表示領域設定手段と、ＯＳＤメニューを表示する際にその表示領域内でＯＳＤが収まるように、ＯＳＤメニューの表示サイズを補正するＯＳＤ表示サイズ補正手段と、ＯＳＤメニューの表示位置を補正するＯＳＤ表示位置補正手段と、ＯＳＤメニューを表示するための出力を行うＯＳＤ出力手段と、を備えたものである。
【発明の効果】
【０００８】
本発明によれば、映像の調整をＯＳＤメニューを用いて行うに際して、調整対象となる映像箇所とＯＳＤメニューとが重なってしまいＯＳＤの表示が邪魔となって映像の調整を十分に行えないという事態はなくなる。
【０００９】
すなわち、調整対象箇所を十分に確認しながら調整を行うことが可能となるので、もって良好な映像表示が可能な映像表示装置を実現することができる。
【発明を実施するための最良の形態】
【００１０】
以下、本発明の一実施の形態による映像表示装置について、図面を用いて説明する。
【００１１】
図１は、本発明の一実施の形態による映像表示装置の構造を示すブロック図である。また図２は、本発明の一実施の形態による映像表示装置におけるＯＳＤメニュー表示に際してのフローチャートである。
【００１２】
本発明の一実施の形態による映像表示装置は、ＯＳＤ生成手段１とＯＳＤ表示領域設定手段２とＯＳＤ表示サイズ補正手段３とＯＳＤ表示位置補正手段４とＯＳＤ出力手段５とメモリ６とを備える。
【００１３】
ここで図１に示すように、映像データは、一旦、メモリ６に蓄積される。そして使用者がＯＳＤメニューを表示する旨を指示していない場合には、メモリに蓄積された映像データはそのままの状態で画像表示のために出力が行われる。
【００１４】
また、使用者がなんらかの入力手段（図示せず）によって、ＯＳＤメニューを表示する旨の入力を行った場合には、図２に示すフローチャートに従って処理が行われる。
【００１５】
まず使用者がなんらかの入力手段（図示せず）によってＯＳＤメニューを表示する旨の入力を行うと（図２：ＳＴＡＲＴ）、ＯＳＤ生成手段１はＯＳＤデータの生成を行う（図２のＳＴ１：ＯＳＤ生成）。これは、ＯＳＤメニューのデータの部品を組み合わせてＯＳＤを構築してＯＳＤとして表示するデータを生成するものである。
【００１６】
さらに使用者は、何らかの入力手段（図示せず）により、ＯＳＤメニューの表示に際して、表示領域を設定せずに既定の位置に既定の大きさでＯＳＤメニューを表示するのか、表示領域を設定してその領域内でＯＳＤメニューを表示するのかを指示する旨の入力を行う（図２のＳＴ２：ＯＳＤ表示領域の設定確認）。
【００１７】
そして、使用者からの入力が「設定しない」、すなわち画面内での表示領域を設定せずに既定の位置に既定の大きさでＯＳＤメニューを表示させる旨の入力である場合には、ＯＳＤ生成手段１にて生成されたＯＳＤデータは、既定の大きさで既定の位置に表示するように設定された状態でＯＳＤ出力手段５から出力され（図２のＳＴ７：ＯＳＤ出力）、メモリ６に格納される。
【００１８】
その後、メモリ６に格納された、映像信号とＯＳＤデータとに基づき、映像信号とＯＳＤメニューとが重畳した表示となって出力される。
【００１９】
また、使用者からの入力が「設定する」、すなわち画面内での表示領域を設定しこの設定した領域内にＯＳＤメニューを表示させる旨の入力である場合には、以下のように処理が行われる。
【００２０】
まず使用者は、ＯＳＤ表示領域設定手段２によって、ＯＳＤメニューの表示領域の設定を行う（図２のＳＴ３：ＯＳＤ表示領域設定）。
【００２１】
次に、ＯＳＤ表示領域設定手段によって設定された表示領域内にＯＳＤ生成手段１において生成されたＯＳＤメニューが適正に表示されるように、ＯＳＤ表示サイズ補正手段３とＯＳＤ表示位置補正手段４とによりＯＳＤメニューのサイズの補正と表示位置の補正とが行われる。
【００２２】
これはまず、選択されたＯＳＤメニュー表示領域のサイズと生成されたＯＳＤメニューのサイズとを比較する（図２のＳＴ４：ＯＳＤ表示領域とＯＳＤメニューのサイズ比較）。そして、ＯＳＤメニュー表示領域のサイズの方が生成されたＯＳＤメニューのサイズより大きいもしくは同じ大きさの場合には、サイズ補正をする必要はないので、ＯＳＤ表示サイズ補正は行わずに、ＯＳＤ表示位置補正手段４によるＯＳＤ表示位置補正が行われる（図２のＳＴ６：ＯＳＤ表示位置補正）。
【００２３】
また、ＯＳＤメニュー表示領域のサイズの方が生成されたＯＳＤメニューのサイズより小さい場合には、ＯＳＤ表示サイズ補正手段３によりＯＳＤ表示サイズの補正が行われた（図２のＳＴ５：ＯＳＤ表示サイズ補正）後、ＯＳＤ表示位置補正手段４によるＯＳＤ表示位置補正（図２のＳＴ６：ＯＳＤ表示位置補正）が行われる。
【００２４】
その後、ＯＳＤ生成手段１にて生成されたＯＳＤメニューは、上記によって補正された位置に必要に応じて補正された大きさで、使用者が設定した表示領域内に表示されるように設定された状態でＯＳＤ出力手段５から出力され（図２のＳＴ７：ＯＳＤ出力）、メモリ６に格納される。
【００２５】
その後、メモリ６に格納された、映像信号とＯＳＤデータに基づき、映像信号とＯＳＤメニューとが重畳した表示となって出力される。
【００２６】
以上により、表示装置の画面内においてＯＳＤ表示領域として設定された領域内に、最適な位置と大きさにＯＳＤメニューの表示を行うことが可能となる。
【００２７】
次に、本発明の一実施の形態による映像表示装置における、ＯＳＤメニュー表示領域を設定する際の状態について詳しく説明する。
【００２８】
図３は、本発明の一実施の形態による映像表示装置におけるＯＳＤメニュー表示領域を設定する際の状態を説明するための図である。
【００２９】
本発明の一実施の形態による映像表示装置においては、ＯＳＤメニューを表示する領域の設定を行う際には、まず図３（ａ）に示すように、例えば１〜１６の１６分割された映像表示装置の画面３１に対し、その分割領域を選択することでＯＳＤメニュー表示領域を設定する。なお、図３（ａ）に示している分割線と１〜１６の番号は、本実施の形態の説明の便宜上、示すものではあるが、実際の画面上にも表示されてもかまわないし、分割線のみで番号は表示されないというものでもかまわない。
【００３０】
また、分割領域の選択の方法としては、分割画面の番号をリモコンを通じて入力する形式や、タッチパネル画面上から直接選択できる形式など、適宜選択すれば良い。
【００３１】
また、選択した分割領域と未選択の分割領域とは、分割領域の表示の状態を変化させることで容易に見分けられるようにすれば操作性の向上が望める。
【００３２】
また、画面の分割数は、フルハイビジョンで１９２０×１０８０の画素数であることから、分割後の分割画面の画素解像度を考慮すると、１６分割（４×４）以下とすることが妥当であると考える。
【００３３】
図３（ｂ）は、ＯＳＤメニュー表示領域の選択を開始した状態を示す図であり、まず分割領域の「１」を選択した状態である。
【００３４】
以降、図３（ｃ）〜（ｆ）に示すように、分割領域の「２」〜「８」を順次選択していき、分割終了の旨を入力することで、ＯＳＤメニュー表示領域を設定する。図３に示す例では、図３（ｇ）に示すようにＯＳＤメニュー表示領域３２として、分割領域「１」〜「８」が選択された状態となる。
【００３５】
この後、図３（ｈ）に示すように選択されたＯＳＤメニュー表示領域３２にＯＳＤメニュー３３が表示される。
【００３６】
以上のように本発明においては、このＯＳＤメニューの表示に際しては、使用者によって決定されたＯＳＤメニュー表示領域３２の大きさを認識し、その領域３２の大きさに対応してＯＳＤメニューの表示位置・大きさが最適、すなわち例えば、表示領域内において略中央部に最大大きさとなるように、自動的に判断した上で、表示が行われる。
【００３７】
図４には、本発明の一実施の形態による映像表示装置におけるＯＳＤメニュー表示の他の例を示す。
【００３８】
図４においても、例えば１〜１６の１６分割された映像表示装置の画面４１に対しＯＳＤメニュー表示領域４２の選択方法などは図３を用いて説明した手順と同様の方法で行うものであり、図４においては、ＯＳＤメニュー表示領域４２として、図４（ａ）に示すように分割領域「９」「１０」「１３」「１４」が選択・決定された状態を示す。
【００３９】
このような場合にも、ＯＳＤメニュー４３の表示に際しては、使用者によって決定されたＯＳＤメニュー表示領域４２の大きさを検知し、その領域の大きさに対応して最適なＯＳＤメニューの大きさ、表示位置を自動的に判断した上で、図４に示す例では、図４（ｂ）のように表示が行われる。
【００４０】
次に、使用者によって決定されたＯＳＤメニュー表示領域３２の大きさに対応してＯＳＤメニューの表示位置・大きさが最適となるように表示を行うための処理の一例について以下、説明する。
【００４１】
図５は映像表示装置の画面の表示画像とＯＳＤメニューの、画素の一例を示す図である。図５（ａ）〜（ｄ）は映像表示装置の画面を示すものであり、フルハイビジョンの「１９２０×１０８０」の画素を備えるものである。また図５（ｅ）はＯＳＤメニューの画面を示すものであり「３８４×３８４」の画素を備えるものである。
【００４２】
まず最初に、ＯＳＤの表示領域として分割領域の「１」〜「８」の領域Ｉを選択し、この領域Ｉに３８４×３８４のＯＳＤを表示する場合について説明する。
【００４３】
この場合、ＯＳＤメニューの領域より領域Ｉの領域の方が大きいことから、ＯＳＤ表示位置の補正のみが行われて、ＯＳＤ表示サイズの補正は行われない。
【００４４】
そして、ＯＳＤメニューの基点（ＯＸ、ＯＹ）の表示画面での位置を決めるために、以下の計算を行う。すなわち、ＯＸ＝（１９２０×（１／２）−３８４）÷２＝２８８、ＯＹ＝（１０８０−３８４）÷２＝３４８、である。
【００４５】
以上より、表示画面において（Ｘ、Ｙ）＝（２８８、３４８）の画素位置をＯＳＤメニューの基点とし、この画素位置から（３８４、３８４）の画素サイズのＯＳＤメニューを表示させると、領域Ｉの中央部にＯＳＤメニューの表示が行える。
【００４６】
また別の例として、図５（ｃ）に示すような領域IIにＯＳＤメニューを表示させる場合を説明する。
【００４７】
この場合も、ＯＳＤメニューの領域より領域IIの領域の方が大きいことから、ＯＳＤ表示位置の補正のみが行われて、ＯＳＤ表示サイズの補正は行われない。
【００４８】
そして、ＯＳＤメニューの基点（ＯＸ、ＯＹ）の表示画面での位置を決めるために、以下の計算を行う。すなわち、ＯＸ＝１９２０×（１／２）＋（１９２０÷２−３８４）÷２＝１２４８、ＯＹ＝（１０８０×（１／２）−３８４）÷２＝７８、である。
【００４９】
以上より、表示画面において（Ｘ、Ｙ）＝（１２４８、７８）の画素位置をＯＳＤメニューの基点とし、この画素位置から（３８４、３８４）の画素サイズのＯＳＤメニューを表示させると、領域IIの中央部にＯＳＤメニューの表示が行える。
【００５０】
さらに別の例として、図５（ｄ）に示すような領域IIIのＯＳＤメニューを表示させる場合を説明する。
【００５１】
この場合は、ＯＳＤメニューの領域より領域IIの領域の方が小さいことから、ＯＳＤ表示位置の補正とＯＳＤ表示サイズの補正との両方の補正が行われる。
【００５２】
まず、ＯＳＤメニューの表示サイズの補正を行う。この補正はどのように決めても良いが、この場合においては初期のＯＳＤメニューのサイズの半分にするというものとする。すると、表示サイズの補正されたＯＳＤメニューのサイズは、（３８４／２、３８４／２）＝（１９２、１９２）となる。
【００５３】
次にこの補正されたＯＳＤメニューの基点（ＯＸ、ＯＹ）の表示画面での位置を決めるために、以下の計算を行う。すなわち、ＯＸ＝１９２０×（３／４）＋（１９２０÷４−１９２）÷２＝１５８４、ＯＹ＝１０８０×（３／４）＋（１０８０÷４−１９２）÷２＝８４９、である。
【００５４】
以上より、表示画面において（Ｘ、Ｙ）＝（１５８４、８４９）の画素位置をＯＳＤメニューの基点とし、この画素位置から（１９２、１９２）の画素サイズのＯＳＤメニューを表示させると、領域IIIの中央部にＯＳＤメニューの表示が行える。
【００５５】
すなわち、例えば上述したような計算を行うことで、選択された表示領域内に最適な状態でＯＳＤメニューの表示を行うことが可能となる。
【産業上の利用可能性】
【００５６】
上述したように本発明は、ＯＳＤを表示させて画像の調整を行うことで良好な表示画像を得る映像表示装置の実現に有用である。
【図面の簡単な説明】
【００５７】
【図１】本発明の一実施の形態による映像表示装置の構造を示すブロック図
【図２】本発明の一実施の形態による映像表示装置におけるＯＳＤメニュー表示に際してのフローチャート
【図３】本発明の一実施の形態による映像表示装置におけるＯＳＤメニュー表示領域を設定する際の状態を説明するための図
【図４】本発明の一実施の形態による映像表示装置におけるＯＳＤメニュー表示の他の例を示す図
【図５】映像表示装置の画面の表示画像とＯＳＤメニューの、画素の一例を示す図
【図６】従来のＯＳＤ表示の一例を示す図
【符号の説明】
【００５８】
１  ＯＳＤ生成手段
２  ＯＳＤ表示領域設定手段
３  ＯＳＤ表示サイズ補正手段
４  ＯＳＤ表示位置補正手段
５  ＯＳＤ出力手段
６  メモリ
３１  映像表示装置の画面
３２  ＯＳＤメニュー表示領域
３３  ＯＳＤメニュー
４１  映像表示装置の画面
４２  ＯＳＤメニュー表示領域
４３  ＯＳＤメニュー
５１  映像表示装置の画面
５２  ＯＳＤメニュー
【図１】
2009086408.tif 000003
【図２】
2009086408.tif 000004
【図３】
2009086408.tif 000005
【図４】
2009086408.tif 000006
【図５】
2009086408.tif 000007
【図６】
2009086408.tif 000008